(57)【要約】【課題】こけしの頭部や胴体部で広い部分の消去を行い、細かい部分は、分解したこけしの頭部や顔部の端や縁で消去することのできる消しゴムを提供する。【解決手段】こけしの頭部１０と顔部２０と胴体部３０とが別体に形成されて分解及び組立が可能に構成され、頭部１０に形成された穴と、顔部２０の上面から突設形成された突起２１１とが嵌合されることにより頭部１０と顔部２０とが組み立てられ、胴体部３０に形成された穴３１と、顔部の下面から突設形成された突起２１２とが嵌合されることにより胴体部３０と顔部２０とが組み立てられて頭部１０と顔部２０及び胴体部３０が一体となってこけし形状に組み立てられる。【選択図】図２
0003173165.tif 000002
【実用新案登録請求の範囲】
【請求項１】
こけしを模した消しゴムであって、
こけしの頭部と顔部と胴体部とが別体に形成され、分解及び組立が可能なことを特徴とする消しゴム。
【請求項２】
前記頭部に形成された穴と、前記顔部の上面から突設形成された突起とが嵌合されることにより当該頭部と顔部とが組み立てられ、
前記胴体部に形成された穴と、前記顔部の下面から突設形成された突起とが嵌合されることにより当該胴体部と顔部とが組み立てられて、
前記頭部と顔部及び胴体部が一体となってこけし形状に組み立てられる請求項１記載の消しゴム。
【請求項３】
前記顔部が、複数の突起及び孔が形成される顔部本体と、これらの突起及び孔を介して顔部本体の前面を外周から覆うように嵌め合わせる顔正面部及び顔部本体の後面を外周から覆うように嵌め合わせる顔背面部とによって前後に分割可能に構成される請求項１又は２記載の消しゴム。
【請求項４】
前記顔部本体が、こけしの目の部分となる突起を備え、
前記顔正面部が、こけしの目の形で開口して、前記顔部本体のこけしの目となる突起と嵌合される孔を備える請求項３記載の消しゴム。
【考案の詳細な説明】
【技術分野】
【０００１】
本考案は、広い部分と細かい部分のいずれに対する消去をも可能とした消しゴムに関する。
【背景技術】
【０００２】
従来の消しゴムにおいて細かい部分を消去するときは、消しゴムの角や縁の部分を使用していた。しかし、しばらく使用すると、角や縁の部分も丸くなってしまい、細かい部分を良好に消去することができなかった。
【０００３】
そこで、長い間にわたって細かい部分の消去を可能とした消しゴムが種々提案されており、たとえば、四つ長方体に分割成形した消しゴムを一つのケース内に並べ替え可能に収納した消しゴムがある。
【先行技術文献】
【特許文献】
【０００４】
【特許文献１】特開平１０−２８７０９４号公報
【考案の概要】
【考案が解決しようとする課題】
【０００５】
しかしながら、特許文献１に記載の消しゴムは、ケースが消しゴム以外の材料で形成されておりコスト高になるという問題がある。
【０００６】
本考案は、上記の事情にかんがみなされたものであり、全体を消しゴムで成形しながら広い部分と細かい部分の消去が可能であり、しかも、全体形状をこけしに模した面白みのある消しゴムの提供を目的とする。
【課題を解決するための手段】
【０００７】
上記目的を達成するため、本考案の消しゴムは、こけしを模した消しゴムであって、こけしの頭部と顔部と胴体部とが別体に形成され、分解及び組立が可能な構成としてある。
具体的には、本考案に係る消しゴムは、こけしの頭部に形成された穴と、こけしの顔部の上面から突設形成された突起とが嵌合されることにより当該頭部と顔部とが組み立てられ、こけしの胴体部に形成された穴と、こけしの顔部の下面から突設形成された突起とが嵌合されることにより当該胴体部と顔部とが組み立てられて、頭部と顔部及び胴体部が一体となってこけし形状に組み立てられる構成としてある。
【考案の効果】
【０００８】
本考案によれば、こけしの頭部や胴体部で広い部分の消去を行い、細かい部分は、分解したこけしの頭部や顔部の端や縁で消去することのでき、また、こけしを模した形状によってフィギュアとしても楽しむことができる。
【図面の簡単な説明】
【０００９】
【図１】本考案の実施形態に係る消しゴムの（ａ）は正面図、（ｂ）は右側面図である。
【図２】本考案の実施形態に係る消しゴムの正面側から見た分解斜視図である。
【図３】本考案の実施形態に係る消しゴムの背面側から見た分解斜視図である。
【考案を実施するための最良の形態】
【００１０】
以下、本考案の消しゴムの好ましい実施形態について、図面を参照しつつ説明する。
本実施形態に係る消しゴムは、こけしを模した消しゴムであり、図１に示すように、全体がこけしの形状をしている。
このこけし形状をした消しゴムは、図２〜３に示すように、こけしの頭部１０と顔部２０と胴体部３０とが別体に形成され、分解及び組立ができるようになっている。
【００１１】
本消しゴムを組み立てる場合は、頭部１０に形成された穴１１と、顔部２０の上面から突設形成された突起２１１とが嵌合される。また、胴体部３０に形成された穴３１と、顔部２０の下面から突設形成された突起２１２とが嵌合される。
これによって、頭部１０と顔部２０及び胴体部３０が一体となり、こけし形状に組み立てることができる。
【００１２】
顔部２０は、図２に示すように、複数の突起及び孔が形成される顔部本体２１と、これらの突起及び孔を介して顔部本体２１の前面を外周から覆うように嵌め合わせる顔正面部２２と顔部本体２１の後面を外周から覆うように嵌め合わせる顔背面部２３とによって前後に分割できるように構成されている。
顔部本体２１には、こけしの目の部分となる突起２１３，２１４と、顔正面部２２の突起２２３及び顔背面部２３の突起２３１と嵌合される貫通孔２１５とが形成されている。
顔正面部２２には、こけしの目の形で開口し、突起２１３，２１４とそれぞれ嵌合される孔２２１，２２２と、貫通孔２１５と嵌合される突起２２３とが形成されている。
【００１３】
以上のような構成からなる本実施形態に係るこけし形状の消しゴムは、鉛筆書き部分の消しゴムとして使用することができるとともに、こけしを模したフィギュアとしても楽しむことができる。
また、本消しゴムは、ゴム材からなるため、各部位同士が嵌合されると固定されて、各部位の紛失を防止することができる。
【００１４】
本消しゴムを鉛筆書き部分の消しゴムとして使用する場合、組み立てられこけしが象られた一体状態において使用することにより、広い部分を効率的に消去することができる。
また、顔部２０から分離した各部位や、頭部１０、胴体部３０の角部や縁部を使用することにより、細かい部分に対して効率的に消去することができる。
【００１５】
また、本消しゴムは、使用することによって消耗した部位を取り外し、新しい部位と交換することでフィギュアとして再生することができる。
さらに、胴体部３０は無模様となっており、この胴体部３０に任意の模様や図柄を表した紙やフィルムを巻装することができる。例えば、着物や浴衣、洋服等を描いた紙やフィルムを巻装・貼着することができ、これによってこけしの外観を引き立たせたり、任意の外観に選択・変更することができる。
【００１６】
また、顔部２０の顔正面部２２には、顔部本体２１の目の部分のみが表れるようになっているため、他の部位、例えば眉毛や鼻、口等を描き入れることができ、こけしの顔を任意に変更することができる。
さらに、顔背面部２３の表面は無模様となっているため、顔部２０の全体を胴体部３０に対して反転させて装着することで、無模様の顔背面部２３をこけしの顔正面に位置させることができ、無模様の顔正面部２３に対して任意に好みの顔を書き入れることも可能となる。
【符号の説明】
【００１７】
１０  頭部
２０  顔部
２１  顔部本体
２２  顔正面部
２３  顔背面部
３０  胴体部
【図１】
0003173165.tif 000003
【図２】
0003173165.tif 000004
【図３】
0003173165.tif 000005